(57)【要約】【課題】遊技盤ベースを電気的な接続部分を有する遊技部材と簡単に分離可能であるとともに、遊技盤の表裏両面を遊技領域として構成することの可能な遊技機を提供する。【解決手段】遊技機本体１と、該本体１に着脱可能に取り付けられる遊技盤１２と、前記本体枠１に備えられる制御装置と、該制御装置と電気的に接続される遊技装置１９と、前記制御装置と電気的に接続されない遊技部材１４とを備える遊技機であって、前記制御装置は遊技機本体１に取り付けられており、遊技盤ベース１３は、前記遊技部材１４が取り付けられているとともに、前記遊技装置１９を挿通して配設可能な貫通孔１３ａとを備えてなる。【選択図】    図１
2006247108.tif 000002
【特許請求の範囲】
【請求項１】
遊技機本体と、
該本体に着脱可能に取り付けられる遊技盤と、
前記本体に備えられる制御装置と、
該制御装置と電気的に接続される遊技装置と、
前記制御装置と電気的に接続されない遊技部材とを備える遊技機であって、
前記制御装置は遊技機本体に取り付けられており、
遊技盤ベースは、前記遊技部材が取り付けられているとともに、前記遊技装置を挿通して配設可能な貫通孔とを備えてなることを特徴とする遊技機。
【請求項２】
遊技盤ベースの水平軸を二分する位置で直交する高さ方向軸線で二分した左右領域に設けられている夫々の貫通孔は、左右領域で対称であることを特徴とする請求項１に記載の遊技機。
【請求項３】
遊技盤ベースの裏側には、制御装置と電気的に接続されない遊技部材を備えて遊技球の転動流下可能な遊技領域を構成していることを特徴とする請求項１又は２に記載の遊技機。
【請求項４】
遊技盤ベースは、遊技領域の一部又は全部を透光性部材により構成したことを特徴とする請求項１乃至３のいずれかに記載の遊技機。
【発明の詳細な説明】
【技術分野】
【０００１】
本発明は、遊技盤ベースを着脱可能とした遊技機に関する。
【背景技術】
【０００２】
遊技機、例えばパチンコ機（弾球遊技機）として、始動入賞装置や大入賞装置などの各種入賞装置、ゲート、及び多数の遊技釘や風車などの遊技部材が、遊技盤ベースの表面に備えられることにより、遊技球が転動流下可能な所定の遊技領域を構成している遊技盤が遊技機本体枠に着脱可能に取り付けられている（例えば、特許文献１参照）。
【特許文献１】特開２００４−１８７７９１号公報
【発明の開示】
【発明が解決しようとする課題】
【０００３】
しかし、前記特許文献１に開示のような先行技術によれば、始動入賞装置や大入賞装置などの各種入賞装置やゲートなどの遊技部材は、遊技機の前面側に取り付けられるとともに遊技機裏側に備えられている各種制御装置により入球検出（入賞検出）、制御が行われるため、ハーネスなどにより遊技機本体枠側と電気的に接続されている。
従って、例えば遊技機の遊技性の変更・損傷などの必要から遊技盤を交換する場合には、電気的な接続部分を有する前記各遊技部材との接続を解かなければ遊技盤が遊技機本体枠と分離できなかったため、遊技盤交換作業時における作業手間・作業時間が掛かっていた。
また、遊技盤ベースの裏側には前述のように電気的な接続部分・配線などが備わっていたものであったため、遊技盤の裏側を遊技領域として利用することができなかった。すなわち、遊技盤の裏側を表側と同様に遊技領域として構成することができれば、今まで遊技領域として使用されなかった遊技盤の裏側を有効利用できるためそのような遊技機の提供が望まれている。
本発明は、このような問題を解決するためになされており、その目的とするところは、遊技盤ベースを電気的な接続部分を有する遊技部材と簡単に分離可能であるとともに、遊技盤の表裏両面を遊技領域として構成することの可能な遊技機を提供することにある。
【課題を解決するための手段】
【０００４】
このような目的を達成するために、第１の発明は、遊技機本体１と、該本体１に着脱可能に取り付けられる遊技盤１２と、前記本体に備えられる制御装置と、該制御装置と電気的に接続される遊技装置１９と、前記制御装置と電気的に接続されない遊技部材１４とを備える遊技機であって、前記制御装置は遊技機本体１に取り付けられており、遊技盤ベース１３は、前記遊技部材１４が取り付けられているとともに、前記遊技装置１９を挿通して配設可能な貫通孔１３ａとを備えてなることを特徴とする遊技機としたことである。
本発明によれば、図示しない制御装置と電気的に接続される始動入賞装置２０や大入賞装置２１などは遊技機本体１側に備え、遊技盤ベース１３には、それら装置１９を挿通可能な貫通孔１３ａと、図示しない前記制御装置と電気的に接続されない遊技釘１７や風車１８などのみ備える構成としたため、遊技機の遊技性の変更・損傷などの必要から遊技盤１２を交換する場合には、制御装置と電気的に接続される各遊技装置１９は遊技機本体１側に残したまま、遊技盤ベース１３を簡単に分離することが可能である。
従って、本発明によれば、遊技機本体１側に備えた電気的接続部分を有する遊技装置１９を挿通可能な貫通孔１３ａを少なくとも有している遊技盤ベース１３であれば、他の遊技釘１７・風車１８・ステージなどの構成の異なった遊技盤ベース１３と容易に交換することができる。
また、遊技盤ベース１３の裏側には電気的な接続部分・配線などが必要でなくなるため、遊技盤１２の裏側を表側と同様に遊技釘１７や風車１８などの遊技部材１４を備えて遊技領域Ｂとして構成することができ、今まで遊技領域として使用されなかった遊技盤１２の裏側を有効利用できる。
【０００５】
第２の発明は、第１の発明において、遊技盤ベース１３の水平軸を二分する位置で直交する高さ方向軸線Ｌで二分した左右領域に設けられている夫々の貫通孔１３ａは、左右領域で対称であることを特徴とする遊技機としたことである。
本発明によれば、遊技装置１９や遊技盤ベース１３に加工を加えることなく、一枚の遊技盤ベース１３を表裏逆に取り付けることが簡単にでき、遊技盤１２の表裏の交換作業が容易に行い得る。
【０００６】
第３の発明は、第１又は第２の発明において、遊技盤ベース１３の裏側には、制御装置と電気的に接続されない遊技部材１４を備えて遊技球の転動流下可能な遊技領域Ｂを構成していることを特徴とする遊技機としたことである。
本発明によれば、例えば表側の遊技領域Ａと裏側の遊技領域Ｂに備えられる電気的に接続されない各遊技部材（遊技釘１７・風車１８・ステージなど）を異にする構成を採用すれば、一枚の遊技盤１２で表裏２通りの遊技性を備えたリバーシブルの遊技機が提供可能である。
また、遊技盤交換時のコスト安価、交換作業の容易性等も向上し、遊技盤の有効利用が図れる。
【０００７】
第４の発明は、第１乃至第３のいずれかの発明において、遊技盤ベース１３は、遊技領域Ａ（Ｂ）の一部又は全部を透光性部材により構成したことを特徴とする遊技機としたことである。
本発明によれば、表側とともに裏側の遊技球の流下態様も視認可能となるため興趣の向上が図れる。
【発明の効果】
【０００８】
本発明によれば、遊技盤ベースを電気的な接続部分を有する遊技部材と簡単に分離可能であるとともに、遊技盤の表裏両面を遊技領域として構成することの可能な遊技機の提供が図れる。
【発明を実施するための最良の形態】
【０００９】
以下、本発明の一実施形態について説明する。なお、本実施形態は本発明の一例にすぎずなんらこれに限定解釈されるものではなく、本発明の範囲内で設計変更可能である。
【実施例１】
【００１０】
図１は、本発明を適用した弾球遊技機（パチンコ機ともいう）の一例を示す概略分解斜視図である。図１において、符号１は概略を示した遊技機本体を示し、該遊技機本体１は、例えば、外枠２の前面に内枠（ベースドア）３が回動自在に軸支され、該内枠３の前面には、遊技球が転動流下する遊技盤１２が図示しない係止部材により着脱可能に装着されている。
遊技盤１２の背面には、装飾的な演出表示等を行ったりする演出表示装置１１が装着され、該演出表示装置１１の背面には、演技の進行を制御する主制御基板や、該主制御基板からの信号に従って各演出装置を制御する副制御基板や、貸球及び賞球の払出を制御する払出制御基板などの図示しない制御装置が装着されている。
【００１１】
また、前記内枠３の前面には、図１に示すように、ガラス板５を嵌めたフロント扉４が回動自在に軸支され、該フロント扉４閉鎖時には、該フロント扉４の前側からガラス板５を介して前記遊技盤１２が視認される。
前記フロント扉４を軸支した内枠３の前面下部には、図示しない払出装置から払い出された遊技球が遊技球受入口から供給されるとともに、発射装置へと遊技球を供給するための遊技球供給皿（上皿）６と、前記遊技球供給皿６満杯時に遊技球受入口の内方で溢れ出た球（溢出球）を排出する下皿排出口を有する下皿７を取付ベース８に一体的に備えた皿ユニット９が回動自在に軸支されている。
【００１２】
前記皿ユニット９の反軸支側の切欠き部分に対応する内枠３の前面下部箇所には、遊技球を表側遊技領域Ａへ向けて発射する発射装置のハンドル１０を備えている。
発射装置は、前記ハンドル１０のレバー１０ａを時計回り方向に回転させることにより、例えば、内枠３の下部に備えた図示しない遊技球発射部の発射ソレノイドを駆動させる。
そしてこの発射ソレノイドの駆動により、図示しない球送り装置から供給された遊技球供給皿６からの遊技球を叩打して遊技球を表側の遊技領域Ａに打ち出すことができる。また、球送り装置は、その内部に球送りソレノイドを設けており、皿ユニット９から遊技球供給皿６を介して転動してきた遊技球を遊技球発射部に所定個数ずつ供給するために用いられる。
【００１３】
演出表示装置１１は、例えば「７」「７」「７」などの装飾的な演出表示等を行ったりする液晶演出表示装置（ＬＣＤ：Liquid Crystal Display）や、投影機からの動画又は静止画を、反射板で屈折して表示させる投影型画像演出表示装置も対象で、特に限定されず本発明の範囲内で種々の演出表示装置が適用される。
また、演出表示装置１１の大きさは、後述する遊技盤ベース１３の透明部材部分の大きさに合わせて変更可能であるが特に限定解釈されない。
なお、演出表示装置１１を備えない実施の形態も本発明の範囲である。
【００１４】
本発明の遊技機は、遊技盤１２の構成に特徴的な技術的手段を講じているため、以下、このような本発明の特徴的な構成を中心に説明し、それ以外の構成については上述の説明に留める。図２（ａ）は遊技盤１２の表側遊技領域Ａを示す正面図、（ｂ）は遊技装置１９が備えられていない状態の遊技盤ベース１３の正面図を示す。図３（ａ）は遊技盤１２の裏側遊技領域Ｂを示す正面図、（ｂ）は遊技装置１９が備えられていない状態の遊技盤ベース１３の正面図を示す。
【００１５】
本発明の遊技盤１２は、図２（ａ）に示すように、遊技盤ベース１３と、該遊技盤ベース１３の表面側に取り付けて配設される遊技部材１４と、遊技機本体１側（遊技機本体枠側ともいう）に取り付けて配設され、遊技盤ベース１３に設けた貫通孔１３ａを介して遊技盤ベース１３の表面側に備えられる遊技装置１９とで構成されている。
【００１６】
遊技部材１４は、遊技盤１２の構成部材のうち、図示しない前記制御装置と電気的に接続されない部材で、遊技盤ベース１３の表面に取り付けて配設される部材、例えば、本実施例では、図１及び図２（ａ），（ｂ）に示すように遊技球が転動する表側遊技領域Ａを区画すると共に、該表側遊技領域Ａに発射ソレノイドから打ち出される遊技球を導くガイドレール１５、遊技領域Ａでの入賞を逃したアウト球を排出するアウト口１６、遊技球の流下方向を変化させる多数の遊技釘１７や風車１８などが一例として挙げられる。
なお、遊技部材１４は、本実施例で採用された部材に限定解釈されるものではなく、例えば図示はしないが天通路やステージなどのセンター飾り、貫通孔周りの飾り部材など遊技に必要な部材であって、前記制御装置と電気的に接続されない部材であれば本発明の範囲内で適宜採用可能である。
【００１７】
遊技装置１９は、遊技盤１２の構成部材のうち、図示しない前記制御装置と電気的に接続される装置で、遊技機本体１側の所定位置に取り付け配設されている装置、例えば本実施例では、図１及び図２（ａ）に示すように、演出表示装置１１の変動表示を起動すると共に、大当たりとするか否かの抽選処理を起動する始動入賞装置（始動入賞口ともいう）２０、大当たり時に開放するアタッカと称する特別電動役物を構成する大入賞装置（大入賞口ともいう）２１、遊技球が入賞することにより遊技球の払い出しが行われる一般入賞口２２、普通図柄表示装置作動用のゲート２３などが一例として挙げられる。なお、図中符号２２ａは、球通路を示す概略線である。
また、遊技装置１９は、本実施例で採用された装置に限定されるものではなく、遊技に必要な装置であって、前記制御装置と電気的に接続される装置であれば本発明の範囲内で適宜採用可能である。
【００１８】
遊技盤ベース１３は、図２（ｂ）に示すように、前記種々の遊技部材１４を固定でき、かつ、容易に変形しない（曲がらない）又は変質しない程度の硬度・強度等を有する材質で形成されているとともに、前記各遊技装置１９を挿通して配設可能な複数個の貫通孔１３ａが設けられている。
貫通孔１３ａは、夫々対象とされる遊技装置１９（２０，２１，２２，２３）が嵌合される形状に遊技盤ベースの表裏面にわたって貫通形成されている。
【００１９】
また、遊技盤ベース１３は、少なくともその一部が無色透明のアクリル樹脂材、ポリカーボネート樹脂、ポリアリレート樹脂などの透明性の高い硬質の合成樹脂材（透明部材）で形成され、裏側に配設される表示装置がその透明部材を介して視認可能とする。なお、本実施例では、遊技盤ベース１３の全域を透明部材でもって形成している。
また、樹脂以外の材質、例えばガラスなどを採用することも本発明の範囲内であり設計変更可能である。
なお、遊技盤ベース１３の一部を透明部材からなる形態とする場合、透明部材以外の部分の材質は特に限定されず、例えばベニヤ合板からなるものなどが一例として挙げられる。
【００２０】
本実施例では、図２及び図３に示すように、遊技盤ベース１３の水平軸を二分する位置で直交する高さ方向軸線（図中、符号Ｌで示す線）で二分した左右領域に設けられている夫々の貫通孔１３ａは、左右領域で対称に形成されている。
すなわち、このように左右対称に形成することで、後述するように遊技盤ベース１３の裏面にも遊技部材１４を備えることで遊技盤ベース１３を表裏いずれも使用可能とした場合、遊技装置１９や遊技盤ベース１３に加工を加えることなく、一枚の遊技盤ベース１３を表裏逆に取り付けることが簡単にできる。
【００２１】
本実施例では、図３に示すように、前記遊技部材１４を遊技盤ベース１３の裏面にも取り付けて配設することで裏側遊技領域Ｂを構成している。
このように遊技盤ベース１３の裏面にも遊技部材１４を備えることで遊技盤ベース１３の表裏面を有効利用できる。
遊技盤ベース１３の裏面に取り付けられる遊技部材１４として、本実施例では、表側遊技領域Ａと同様に多数の遊技釘１７や風車１８が挙げられる。
【００２２】
さらに本実施例では、図２，図３及び図４に示すように、表側遊技領域Ａと裏側遊技領域Ｂの遊技釘１７構成を異にしている。
図２は遊技盤１２の表側遊技領域Ａを示し、図３は遊技盤１２の裏側遊技領域Ｂを示し、図４は遊技盤ベース１３の一部の断面図を示す。
例えば、遊技釘１７の配設本数、配設位置、傾斜角度などの構成及び風車１８の配設数が、表側遊技領域Ａと裏側遊技領域Ｂで異なっている。
このように、表側遊技領域Ａと裏側遊技領域Ｂの遊技釘１７構成や風車１８構成を異にすることにより、一枚の遊技盤で表裏２通りの遊技性を備えたリバーシブルの遊技機が提供できる。
また、遊技釘１７構成は、本実施例に限らず、他の異なる構成を採用することも可能である。なお、本発明は、表側遊技領域Ａと裏側遊技領域Ｂの遊技釘構成を同一とすることを何等妨げるものではない。
【００２３】
本実施例によれば、制御装置と電気的に接続されている遊技装置１９は遊技機本体１側に残したまま、遊技盤ベース１３を簡単に取り外すことができる。従って、異なる遊技性を備えた遊技盤ベース１３の表裏を交換する作業が容易に行え、一枚の遊技盤で２通りの遊技性を持つ遊技機として提供することができる。
【００２４】
また、制御装置と電気的に接続される遊技装置１９構成を同じものとすれば、異なる遊技部材１４構成を採用した種々の遊技盤ベース１３を予めストックしておけば、異なる遊技性とした遊技機が簡単かつ迅速に提供することができる。
【００２５】
さらに、例えば、遊技盤ベース１３の表裏面に貫通する遊技球の通過可能な導出入口を備えるものとすれば、遊技盤１２の表裏両面に遊技球を転動流下させることも可能となり、複雑かつ奥行き感のある立体的な遊技球の流れが視認可能となるため遊技の興趣が向上する。
また、表側遊技領域Ａと裏側遊技領域Ｂを転動流下する遊技球は、夫々異なる遊技釘１７の配設位置や傾斜角度によって、遊技釘１７に衝突した際の跳ね返り方向や、流下案内方向などが異なるものとなり、異なる遊技球の転動流下態様により遊技性が向上する。
【図面の簡単な説明】
【００２６】
【図１】本発明弾球遊技機の一実施例を示す概略分解斜視図。
【図２】（ａ）は表側遊技領域を構成している遊技盤の概略正面図、（ｂ）は電気的に接続されない遊技部材のみを備えた遊技盤ベースの概略正面図。
【図３】（ａ）は裏側遊技領域を構成している遊技盤の概略正面図、（ｂ）は電気的に接続されない遊技部材のみを備えた遊技盤ベースの概略正面図。
【図４】電気的に接続されない遊技部材のみを備えた遊技盤ベースの一部を示す概略断面図。
【符号の説明】
【００２７】
Ａ  表側遊技領域
Ｂ  裏側遊技領域
１  遊技機本体
１２  遊技盤
１３  遊技盤ベース
１３ａ  貫通孔
１４  遊技部材
１７  遊技釘
１９  遊技装置
【図１】
2006247108.tif 000003
【図２】
2006247108.tif 000004
【図３】
2006247108.tif 000005
【図４】
2006247108.tif 000006